(57)【要約】【課題】  巻真などの操作部材を軸方向に移動操作しても、操作部材や磁石部材を破損せず、常に磁石部材を１つの磁気センサに対応させて、操作部材の回転を１つの磁気センサで正確に検出することができる回転スイッチを提供する。【解決手段】  巻真４の断面非円形の係合部８を磁石部材６の係合孔１８に係合させた。従って、巻真４を軸方向に移動操作する際に、磁石部材６を巻真４に対して相対的に移動させることができ、これにより磁石部材６を巻真４の軸方向に対して常に一定の位置に保持することができる。このため、巻真４を軸方向に移動操作しても、巻真４や磁石部材６を破損せずに、常に磁石部材６を磁気センサ７に対応させることができるので、巻真４を軸方向における複数の位置に移動させても、１つの磁気センサ７で巻真４の回転を正確に検出することができる。【選択図】        図３
2010139252.tif 000002
【特許請求の範囲】
【請求項１】
ケースの外部から軸方向の第１の位置および第２の位置に移動操作可能で且つ回転方向にも操作可能に設けられ、その所定箇所に断面非円形の係合部が形成された操作部材と、
この操作部材の前記係合部が挿入される係合孔が形成され、前記操作部材の軸方向に移動しないように設けられた磁石部材と、
この磁石部材の回転を検出する磁気センサとを備え、
前記磁石部材は、前記操作部材を軸方向に移動させて前記第１の位置および前記第２の位置に移動させた際に、前記磁気センサと対応する位置に保持され、前記操作部材を回転させた際に、前記係合孔に前記係合部が係合した状態で前記操作部材と共に回転することを特徴とする回転スイッチ。
【請求項２】
前記操作部材の軸方向における前記第１の位置と前記第２の位置とで接点部を切り替える接点切替部材を備えていることを特徴とする請求項１に記載の回転スイッチ。
【請求項３】
前記磁気センサは、前記ケース内に設けられた基板に設けられ、この基板を挟んで前記磁石部材と対応した状態で配置されていることを特徴とする請求項１または請求項２に記載の回転スイッチ。
【発明の詳細な説明】
【技術分野】
【０００１】
この発明は、電子腕時計などの電子機器に用いられる回転スイッチに関する。
【背景技術】
【０００２】
例えば、電子腕時計においては、時刻を修正する際、巻真を所定位置に引き出して回転させることにより、巻真の回転に応じて指針を運針させるように構成されている。このような電子腕時計の時刻修正装置としては、特許文献１に記載されているように、腕時計ケースに巻真をその軸方向における第１の位置と第２の位置とに移動可能に設けると共に巻真の軸を中心とする回転方向にも回転可能に設け、この巻真に磁石を設け、この磁石の円周方向に位置する腕時計ケース内に磁気センサを設けた構成のものが知られている。
【特許文献１】特開２００８−１２２３７７
【０００３】
この種の電子腕時計では、巻真を押し込んだ第１の位置状態のときに、巻真に設けられた磁石が磁気センサから離れ、また巻真を引き出した第２の位置状態のときに、巻真と共に磁石が移動して磁気センサに対応し、この状態で巻真を回転させると、磁石が巻真と共に回転し、磁気センサが磁石の回転を検出し、この磁気センサで検出された検出データに基づいて指針を運針させることにより、時刻を修正している。
【発明の開示】
【発明が解決しようとする課題】
【０００４】
しかしながら、このような電子腕時計においては、磁石が巻真に一体的に設けられているので、巻真を軸方向に移動させると、これに伴って磁石も巻真の軸方向に移動するため、巻真が第１の位置と第２の位置とに移動する以外に、例えば第３の位置にも移動する場合には、磁気センサを第３の位置に対応する箇所にも設けなければ、第１〜第３の各位置に対応した状態で巻真の回転を検出することができない。このため、巻真の軸方向における複数の移動位置に対応して磁気センサを設ける必要があり、磁気センサとしての部品点数が増大するという問題がある。
【０００５】
ところで、従来の腕時計においては、一般に、巻真にツヅミ車を取り付け、このツヅミ車を時刻修正車に常時噛み合わせ、巻真を押し込んだ第１の位置状態のときに、ツヅミ車が巻真に対し空転して時刻修正車が回転せず、また巻真を引き出した第２の位置状態のときに、ツヅミ車が巻真と共に回転して時刻修正車が回転し、時刻を修正するように構成されたものが知られている。
【０００６】
この種の腕時計では、巻真に断面非円形の係合部を設け、ツヅミ車に巻真の係合部が係脱可能に係合する係合孔を設け、巻真を押し込んだ第１の位置状態のときに、巻真の係合部がツヅミ車の係合孔から離脱してツヅミ車が空転し、巻真を引き出した第２の位置状態のときに、巻真の係合部がツヅミ車の係合孔に係合してツヅミ車が巻真と共に回転するように構成されている。
【０００７】
しかし、このような腕時計においては、巻真を第１の位置から第２の位置に移動させる際、巻真の係合部の端部がツヅミ車の係合孔の縁部に当接して、巻真の係合部がツヅミ車の係合孔にスムーズに係合しないことがある。このような場合には、巻真やツヅミ車が変形したり破損したりするという問題がある。
【０００８】
この発明が解決しようとする課題は、巻真などの操作部材を軸方向に移動操作しても、操作部材や磁石部材を破損せず、常に磁石部材を１つの磁気センサに対応させて、操作部材の回転を１つの磁気センサで正確に検出することができる回転スイッチを提供することである。
【課題を解決するための手段】
【０００９】
この発明は、上記課題を解決するために、次のような構成要素を備えている。
請求項１に記載の発明は、ケースの外部から軸方向の第１の位置および第２の位置に移動操作可能で且つ回転方向にも操作可能に設けられ、その所定箇所に断面非円形の係合部が形成された操作部材と、この操作部材の前記係合部が挿入される係合孔が形成され、前記操作部材の軸方向に移動しないように設けられた磁石部材と、この磁石部材の回転を検出する磁気センサとを備え、前記磁石部材は、前記操作部材を軸方向に移動させて前記第１の位置および前記第２の位置に移動させた際に、前記磁気センサと対応する位置に保持され、前記操作部材を回転させた際に、前記係合孔に前記係合部が係合した状態で前記操作部材と共に回転することを特徴とする回転スイッチである。
【００１０】
請求項２に記載の発明は、前記操作部材の軸方向における前記第１の位置と前記第２の位置とで接点部を切り替える接点切替部材を備えていることを特徴とする請求項１に記載の回転スイッチである。
【００１１】
請求項３に記載の発明は、前記磁気センサが、前記ケース内に設けられた基板に設けられ、この基板を挟んで前記磁石部材と対応した状態で配置されていることを特徴とする請求項１または請求項２に記載の回転スイッチである。
【発明の効果】
【００１２】
この発明によれば、操作部材を軸方向に移動操作する際に、磁石部材を操作部材に対して相対的に移動させることができるので、磁石部材を操作部材の軸方向に対して常に一定の位置に保持することができる。このため、操作部材を軸方向に移動操作しても、操作部材や磁石部材を破損せずに、常に磁石部材を１つの磁気センサに対応させることができ、これにより操作部材を軸方向における複数の位置に移動させても、１つの磁気センサで操作部材の回転を正確に検出することができる。
【発明を実施するための最良の形態】
【００１３】
以下、図１〜図１２を参照して、この発明を指針式の電子腕時計に適用した一実施形態について説明する。
この電子腕時計は、図１および図２に示すように、時計モジュール１を備えている。この時計モジュール１は、腕時計ケース(図示せず)に組み込まれるものであり、指針を運針する時計ムーブメント(図示せず)と、時刻を修正するための時刻修正装置２とを備えている。
【００１４】
時刻修正装置２は、図１〜図５に示すように、地板３に軸方向に移動操作可能で且つ軸を中心とする回転方向にも操作可能に設けられた巻真４と、この巻真４の軸方向における移動位置を規制する位置規制部材５と、巻真４にスライド可能に設けられて巻真４と共に回転する磁石部材６と、この磁石部材６の円周方向に位置して磁石部材６の回転を検出する磁気センサ７とを備えている。
【００１５】
巻真４は、図３および図５に示すように、ほぼ丸棒状に形成され、その一端部（図３では左端部）が地板３から側方に突出し、この突出した外端部が腕時計ケース（図示せず）から外部に突出し、この状態で地板３に軸方向に移動操作可能で、且つ軸を中心とする回転方向にも操作可能に設けられている。また、この巻真４は、図３および図５に示すように、そのほぼ中間部に小径の段差凹部４ａが環状に設けられており、この段差凹部４ａにおける時計モジュール１の内部側に位置する先端側（図４では右端側）には、断面形状が四角形状の係合部８が設けられている。
【００１６】
さらに、この巻真４の内部側に位置する係合部８の先端部(図３では右端部)には、図３および図５に示すように、小径の軸部４ｂが設けられている。この軸部４ｂは、地板３に設けられたガイド穴３ａ内に軸方向に移動可能で且つ軸を中心に回転可能な状態で挿入されている。これにより、巻真４は、図３に示すように、軸方向（矢印Ｘ方向）に押し込まれた第１の位置と、図５に示すように、軸方向（矢印Ｙ方向）に引き出された第２の位置とに移動するように構成されている。
【００１７】
位置規制部材５は、図２〜図１０に示すように、オシドリ１０、オシドリばね１１、スイッチ板１２、および押え板１３を備えている。オシドリ１０は、図８に示すように、平板状に形成され、地板３に設けられた支持軸１４に回動可能に取り付けられ、巻真４の軸方向への移動に応じて回動するように構成されている。
【００１８】
すなわち、オシドリ１０には、巻真４の段差凹部４ａ内に配置される連動アーム部１０ａと、オシドリばね１１によって弾力的に位置規制される連動ピン１０ｂと、スイッチ板１２をオシドリ１０と共に回動させる連結ピン１０ｃとが設けられている。これにより、オシドリ１０は、図２および図４に示すように、巻真４が軸方向に移動すると、巻真４の段差凹部４ａに伴って連動アーム部１０ａが揺動することにより、支持軸１４を中心に回動するように構成されている。
【００１９】
オシドリばね１１は、図６および図９に示すように、板ばねであり、オシドリ１０の近傍に位置する箇所の地板３に固定され、オシドリ１０の連動ピン１０ａを弾力的に保持して位置規制することにより、オシドリ１０の回動位置を規制して巻真４の軸方向の移動位置を規制するように構成されている。すなわち、このオシドリばね１１は、図９に示すように、その先端部にオシドリ１０の連動ピン１０ｂを弾力的に保持する位置規制部１５が設けられている。この位置規制部１５には、図９に示すように、連動ピン１０ｂを弾力的に係止する複数の係止凹部１５ａ、１５ｂが設けられている。
【００２０】
これにより、オシドリばね１１は、図３に示すように、巻真４が押し込まれた第１の位置状態のときに、図２および図９に示すように、オシドリ１０の連動ピン１０ｂを位置規制部１５の一方の係止凹部１５ａで弾力的に係止することにより、巻真４を第１の位置に規制するように構成されている。
【００２１】
また、このオシドリばね１１は、図５に示すように、巻真４が軸方向に引き出された第２の位置に移動するときに、図４に示すように、オシドリ１０が支持軸１４を中心に回動し、これに伴って連動ピン１０ｂが回転移動し、この連動ピン１０ｂを位置規制部１５の他方の係止凹部１５ｂで弾力的に係止することにより、巻真４を第２の位置に規制するように構成されている。
【００２２】
スイッチ板１２は、図１０および図１１に示すように、金属板からなり、オシドリ１０と共に地板３の支持軸１４に回転可能に取り付けられている。このスイッチ板１２には、図１１(ａ)に示すように、後述する回路基板２０の下面に接触して摺動する接触ばね部１２ａが、図１０に示すように、オシドリ１０の連動アーム部１０ａと反対側に向けて延設されている。このスイッチ板１２の所定箇所には、図１０に示すように、オシドリ１０の連結ピン１０ｃが挿入する挿入孔１２ｂが設けられている。
【００２３】
これにより、スイッチ板１２は、図１０および図１１に示すように、接触ばね部１２ａの先端部が回路基板２０の下面に接触した状態で、支持軸１４を中心にオシドリ１０と共に回転移動し、この接触ばね部１２ａの先端部が回路基板２０の下面に設けられた接点部２０ａ、２０ｂに対する接触位置を切り替えるように構成されている。押え板１３は、図２、図６および図７に示すように、オシドリばね１１と共に地板３にねじ１３ａによって取り付けられて、オシドリばね１１およびスイッチ板１２を押え付けることにより、オシドリ１０を地板３に押し付けるように構成されている。
【００２４】
ところで、巻真４にスライド可能に設けられた磁石部材６は、図１２（ａ）および図１２（ｂ）に示すように、リング状の磁石１６と、この磁石１６を包む樹脂部１７とからなり、全体がほぼ円形板状に形成され、その中心部に巻真４の係合部８が挿入する断面四角形状の係合孔１８が設けられ、この状態で図３および図５に示すように、外周面の一部が地板３に設けられた磁石押え部１９によって押え付けられた構成になっている。
【００２５】
これにより、磁石部材６は、図３および図５に示すように、その係合孔１８に巻真４の係合部８がスライド可能に挿入し、この状態で巻真４が軸方向に移動しても、磁石押え部１９によって押えられていることにより、巻真４に対し相対的に移動して常に一定の位置に保持され、この状態で巻真４と共に回転するように構成されている。
【００２６】
すなわち、この磁石部材６は、図２に示すように、巻真４が押し込まれた第１の位置状態のときに、図３に示すように、巻真４の内部側に位置する係合部８の外側の端部側（図３では左側）に位置し、図４に示すように、巻真４が引き出された第２の位置状態のときに、図５に示すように、巻真４の内部側に位置する係合部８の内側の先端部側（図５では右側）に位置するように構成されている。
【００２７】
一方、磁気センサ７は、図１、図３および図５に示すように、地板３の裏面（図３では上面）に設けられた回路基板２０上における磁石部材６と対応する箇所に設けられている。この磁気センサ７は、２つの磁気検出素子、例えば２つの磁気抵抗素子７ａ（ＭＲ素子：Magneto Resistance 素子）を備え、磁石部材６の回転に伴う磁界の変化を検出して、ハイ（Ｈ）、ロウ（Ｌ）の２種類の検出信号を出力するように構成されている。
【００２８】
すなわち、この磁気センサ７は、２つの磁気抵抗素子７ａの設置位置が異なっていることにより、磁石部材６の回転に伴う磁界の変化を検出する際、出力に位相差が生じ、この位相差によって２種類の検出信号を出力することにより、磁石部材６の回転を検出するように構成されている。この場合、２種類の検出信号は、回路基板２０に設けられたマイコンで解析されて、磁石部材６の回転を算出する。
【００２９】
また、この磁気センサ７は、磁石部材６の回転方向（正回転であるか逆回転であるか）を検出すると共に、磁石部材６の正回転または逆回転が連続しているか否かをも検出する。これにより、磁気センサ７で検出された回転方向の検出信号により、指針を正方向（時計回り）または逆方向（反時計回り）に回転させると共に、磁気センサ７で検出された磁石部材６の回転が連続しているか否かの検出信号により、回転が連続している場合に、指針を早送りで正方向（時計回り）または逆方向（反時計回り）に回転させる。
【００３０】
また、回路基板２０の上面には、集積回路素子（ＩＣ、ＬＳＩ）などの時計機能に必要な各種の電子部品(図示せず)が設けられていると共に、回路基板２０の上下面には、銅箔などの金属からなる配線パターン（図示せず）が設けられている。この場合、磁気センサ７と磁石部材６との間に位置する箇所の回路基板２０には、配線パターン（図示せず）が設けられていない。
【００３１】
次に、この電子腕時計の作用について説明する。
まず、巻真４を軸方向に押し込んで第１の位置に移動させると、図２および図３に示すように、巻真４の段差凹部４ａが時計モジュール１の内部側（図３では右側）に移動し、巻真４の係合部８が図３に示す矢印Ｘ方向に押し込まれる。この状態では、磁石部材６が磁石押え部１９で押えられているので、巻真４が押し込まれても、磁石部材６は巻真４と共に移動せず、巻真４の係合部８における外側の端部側（図３では左側）に位置して、磁気センサ７に対応する。
【００３２】
また、このときには、巻真４の段差凹部４ａが時計モジュール１の内部側に移動するので、図８に示すように、オシドリ１０の連動アーム部１０ａが時計モジュール１の内部側（図８では右側）に向けて移動し、オシドリ１０が支持軸１４を中心に時計回りに回動する。これに伴って、図２および図９に示すように、連動ピン１０ａがオシドリばね１１に設けられた位置規制部１５の一方の係止凹部１５ａに弾力的に保持される。これにより、巻真４が押し込まれた第１の位置に規制される。
【００３３】
また、このときには、スイッチ板１２がオシドリ１０の連結ピン１０ｃによってオシドリ１０と連結されているので、図１０に示すように、スイッチ板１２が支持軸１４を中心にオシドリ１０と共に時計回りに回動する。これにより、スイッチ板１２における接触ばね部１２ａの先端部が、図１１（ａ）に示すように、回路基板２０の下面に接触した状態で回転移動する。
【００３４】
これにより、接触ばね部１２ａが、図１１（ｂ）に示すように、回路基板２０の一方（図１１（ｂ）では左側）の接点部２０ａに移動して接触し、磁気センサ７をオフ状態にする。このオフ状態では、磁気センサ７による磁気検出が停止されるので、巻真４を回して磁石部材６が回転しても、磁気センサ７が磁石部材６の回転を検出しない。
【００３５】
一方、巻真４が軸方向に引き出されて第２の位置に移動すると、図４および図５に示すように、巻真４の段差凹部４ａが時計モジュール１の外側に向けて移動し、巻真４の係合部８が引出し方向(図５に矢印Ｙで示す左方向)に移動する。このときにも、磁石部材６が磁石押え部１９で押えられているので、巻真４が引出し方向に移動しても、磁石部材６は巻真４と共に移動せず、巻真４の係合部８における内側の先端部側（図５では右側）に位置する。
【００３６】
また、このときには、図４に示すように、巻真４の段差凹部４ａが時計モジュール１の外側に向けて移動するので、オシドリ１０の連動アーム部１０ａが時計モジュール１の外側に向けて移動し、オシドリ１０が支持軸１４を中心に反時計回りに回動する。これに伴って、図４に示すように、連動ピン１０ａがオシドリばね１１に設けられた位置規制部１５の他方の係止凹部１５ｂに弾力的に保持される。これにより、巻真４が引き出された第２の位置に規制される。
【００３７】
また、このときにも、スイッチ板１２がオシドリ１０の連結ピン１０ｃによってオシドリ１０と連結されているので、図４に示すように、スイッチ板１２が支持軸１４を中心にオシドリ１０と共に反時計回りに回動する。これにより、スイッチ板１２の接触ばね部１２ａの先端部が、図１１（ａ）に示すように、回路基板２０に接触した状態で上記とは逆方向に回転移動する。これにより、図１１（ｂ）に示すように、回路基板２０の他方（図１１（ｂ）では右側）の接点部２０ｂに移動して接触し、磁気センサ７をオン状態にして、磁気センサ７による磁気検出を可能な状態にする。
【００３８】
この状態で巻真４を回転させると、磁石部材６が巻真４と共に回転して磁界が変化し、この磁界の変化を磁気センサ７が検出する。これにより、磁気センサ７が磁石部材６の回転を検出して検出信号を出力する。この磁気センサ７で出力された検出信号は、回路基板２０のマイコンで解析されて、巻真４の回転に応じて指針（図示せず）を運針させて時刻を修正する。このときには、磁気センサ７が磁石部材６の回転方向（正回転であるか逆回転であるか）をも検出し、指針を正方向（時計回り）または逆方向（反時計回り）に運針させて時刻を修正する。
【００３９】
このときに、磁石部材６の正回転または逆回転が連続していることを磁気センサ７が検出した場合には、指針を早送りで正方向（時計回り）または逆方向（反時計回り）に運針させて、速やかに時刻を修正する。また、巻真４が引き出された第２の位置で、巻真４が数十秒の間、回転操作されないときには、磁気センサ７をオフ状態にして、電力の消費を防ぐ。
【００４０】
このように、この電子腕時計によれば、巻真４の断面非円形の係合部８が磁石部材６の係合孔１８に係合しているので、巻真４を軸方向に移動操作する際に、磁石部材６を巻真４に対して相対的に移動させることができ、これにより磁石部材６を巻真４の軸方向に対して常に一定の位置に保持することができる。
【００４１】
このため、巻真４を軸方向に移動操作しても、巻真４や磁石部材６を破損せずに、常に磁石部材６を磁気センサ７に対応させることができるので、巻真４を軸方向における複数の位置に移動させても、１つの磁気センサ７で巻真４の回転を正確に検出することができるほか、磁気センサ７が磁石部材６に対して非接触状態であるから、耐久性の高いものを提供することができる。
【００４２】
この場合、磁気センサ７は、磁石部材６の回転を検出して検出信号を出力し、この出力された検出信号が回路基板２０のマイコンで解析されて、巻真４の回転に応じて指針（図示せず）を運針させて時刻を修正することができる。このときには、磁気センサ７が磁石部材６の回転方向（正回転であるか逆回転であるか）を検出するので、指針を正方向（時計回り）または逆方向（反時計回り）に回転させることができる。また、このとき、磁石部材６の正回転または逆回転が連続しているか否かを磁気センサ７で検出することにより、回転が連続している場合に、指針を早送りで正方向（時計回り）または逆方向（反時計回り）に回転させて、速やかに時刻を修正することができる。
【００４３】
また、この電子腕時計では、巻真４をその軸方向における第１の位置と第２の位置とに位置規制する位置規制部材５を備えているので、巻真４をその軸方向における第１の位置と第２の位置とに正確に且つ確実に位置規制することができる。すなわち、位置規制部材５は、巻真４の軸方向への移動に伴って回動するオシドリ１０と、このオシドリ１０の連動ピンを位置規制部１５の係止凹部１５ａ、１５ｂによって弾力的に保持するオシドリばね１１とを備えているので、オシドリばね１１の位置規制部１５によってオシドリ１０の回動位置を規制することができ、これにより巻真４の軸方向における位置を確実に規制することができる。
【００４４】
また、巻真４は、その軸方向に押し込まれた第１の位置と引き出された第２の位置とで、回路基板２０の接点部２０ａ、２０ｂを切り替える接点切替部材であるスイッチ板１２を備えているので、磁石部材６が磁気センサ７に常に対応していても、スイッチ板１２で回路基板２０の接点部２０ａ、２０ｂを切り替えることにより、磁気センサ７をオン状態とオフ状態とに切り替えることができる。
【００４５】
すなわち、スイッチ板１２は、巻真４の軸方向への移動に伴って回動するオシドリ１０と共に回転して、接触ばね部１２ａが回路基板２０の接点部２０ａ、２０ｂを切り替えることができるので、巻真４が押し込まれた第１の位置のときに、接触ばね部１２ａが一方の接点部２０ａに接触して、磁気センサ７をオフ状態にし、また巻真４が引き出された第２の位置のときに、接触ばね部１２ａが他方の接点部２０ｂに接触して、磁気センサ７をオン状態にすることができる。
【００４６】
このため、巻真４が押し込まれた第１の位置のときには、磁気センサ７がオフ状態であるから、磁気センサ７に対する待機電流を防ぐことができると共に、この状態で巻真４を回転させて磁石部材６を回転させても、磁気センサ７によって磁石部材６の回転を検出することがないので、磁気センサ７による消費電力を低減することができる。
【００４７】
また、巻真４が引き出された第２の位置のときには、磁気センサ７がオン状態になるので、巻真４を回転させて磁石部材６を回転させると、磁気センサ７で磁石部材６の回転を検出することができる。この場合、巻真４が引き出された第２の位置のときに、数十秒の間、巻真４が回転操作されないときには、磁気センサ７をオフ状態にするので、これによっても磁気センサ７による消費電力を抑えて、低消費電力化を図ることができる。
【００４８】
また、この電子腕時計では、磁気センサ７が、腕時計ケース内に設けられる時計モジュール１の回路基板２０に設けられ、この回路基板２０を挟んで磁石部材６と対応した状態で配置されているので、磁気センサ７を、回路基板２０に搭載された集積回路素子（ＩＣ、ＬＳＩ）などの時計機能に必要な各種の電子部品と並べて配置することができ、これにより高密度実装ができるので、時計モジュール１の薄型化および小型化を図ることができる。
【００４９】
この場合、回路基板２０の上下両面には、銅箔などの金属からなる配線パターン（図示せず）が設けられているが、磁気センサ７と磁石部材６との間に位置する回路基板２０には、配線パターンが設けられていないので、磁気センサ７が銅箔などの金属からなる配線パターンによる影響を受けずに、磁気センサ７で磁石部材６の回転を高感度で精度良く検出することができる。
【００５０】
なお、上記実施形態では、巻真４に断面四角形状の係合部８を設け、磁石部材６の中心部に巻真４の係合部８が挿入する四角形状の係合孔１８を設けた場合について述べたが、これに限らず、巻真４の係合部８および磁石部材６の係合孔１８を、三角形、五角形、六角形などの多角形状、または楕円形状、スプライン形状などの非円形状に形成しても良い。
【００５１】
また、上記実施形態では、磁石部材６が磁石１６と、この磁石１６を包む樹脂部１７とで構成されている場合について述べたが、これに限らず、例えば磁石１６を磁性材料からなる外装部で包んで磁石１６を保護するように構成しても良い。このように構成すれば、磁石１６を小さく形成することができるので、磁石部材６全体の小型化を図ることができる。
【００５２】
また、上記実施形態に限らず、磁石部材６および磁気センサ７を耐磁部材で囲むように構成しても良い。このように構成すれば、磁気センサ７が時計ムーブメントに組み込まれたステッピングモータの磁界による影響を防ぐことができるので、より一層、磁気センサ７で磁石部材６の回転を正確に検出することができる。
【００５３】
さらに、上記実施形態では、巻真４がその軸方向における第１の位置と第２の位置とに移動するように構成された場合について述べたが、必ずしも第１、第２の各位置のみに移動する構成である必要はなく、第２の位置から更に引き出された第３の位置にも移動するように構成しても良い。このように構成しても、磁石部材６は磁石押え部１９によって押え付けられているので、巻真４の軸方向への引出し操作に応じて磁石部材６が移動することがなく、常に磁石部材６が１つの磁気センサ７に対応するので、この１つの磁気センサ７で巻真４の回転を検出することができる。
【００５４】
なおまた、上記実施形態およびその各変形例では、指針式の電子腕時計に適用した場合について述べたが、必ずしも電子腕時計である必要はなく、例えばトラベルウオッチ、目覚まし時計、置き時計、掛け時計などの各種の電子時計に適用することができるほか、必ずしも電子時計に限らず、携帯電話機やＰＤＡ（パーソナル・デジタル・アシスタント）などの電子機器にも広く適用することができる。
【図面の簡単な説明】
【００５５】
【図１】この発明を電子腕時計に適用した一実施形態において時計モジュールの要部を示した拡大裏面図である。
【図２】図１の時計モジュールにおいて回路基板を取り外した状態を示した要部の拡大裏面図である。
【図３】図１のＡ−Ａ矢視における拡大断面図である。
【図４】図２の状態で巻真を第２の位置に引き出した状態を示した要部の拡大裏面図である。
【図５】図４のＢ−Ｂ矢視における拡大断面図である。
【図６】図２のＣ−Ｃ矢視における拡大断面図である。
【図７】図２のＤ−Ｄ矢視における拡大断面図である。
【図８】図２において地板にオシドリを配置した状態を示した要部の拡大裏面図である。
【図９】図８においてオシドリばねを更に配置した状態を示した要部の拡大裏面図である。
【図１０】図９においてスイッチ板を更に配置した状態を示した要部の拡大裏面図である。
【図１１】図１０のスイッチ板およびこれに対応する箇所の回路基板を示し、（ａ）は図１０のＥ−Ｅ矢視における要部の拡大断面図、（ｂ）はその回路基板の接点部を示した図である。
【図１２】図３の磁石部材を示し、（ａ）は図８においてオシドリおよび磁石押え部を取り除いて磁石部材を示した要部の拡大裏面図、（ｂ）はそのＦ−Ｆ矢視における要部の拡大断面図である。
【符号の説明】
【００５６】
１  時計モジュール
２  時刻修正装置
３  地板
４  巻真
５  位置規制部材
６  磁石部材
７  磁気センサ
７ａ  磁気抵抗素子
８  係合部
１０  オシドリ
１１  オシドリばね
１２  スイッチ板
１２ａ  接触ばね
１４  段差凹部
１５  位置規制部
１６  磁石
１７  樹脂部
１８  係合孔
１９  磁石押え部
２０  回路基板
２０ａ、２０ｂ  接点部
【図１】
2010139252.tif 000003
【図２】
2010139252.tif 000004
【図３】
2010139252.tif 000005
【図４】
2010139252.tif 000006
【図５】
2010139252.tif 000007
【図６】
2010139252.tif 000008
【図７】
2010139252.tif 000009
【図８】
2010139252.tif 000010
【図９】
2010139252.tif 000011
【図１０】
2010139252.tif 000012
【図１１】
2010139252.tif 000013
【図１２】
2010139252.tif 000014